(57)【特許請求の範囲】
【請求項１】
流れ方向に配する捨板及び該捨板の裏面側に略直交状に配する横桟の表面側に、太陽電池モジュールを配して流れ方向及び左右方向に接続する太陽電池モジュールの接続構造であって、
前記横桟は、前記捨板の流れ方向の端縁を受支する受支部を上下段に有し、水上側及び水下側に下方へ延在する脚部、及び長さ方向に溝状の流水部を有し、配設以前に予め前記脚部を部分的に削除し、上段受支部、下段受支部、流水部が含まれる上方部分の端縁が流れ方向に配した排水部材に臨むように略直交状に配設され、
前記捨板は、前記横桟の下段受支部に水上側の端縁が受支され、水下側に隣接する横桟の上段受支部に水下側の端縁が受支され、
捨板上に左右の端縁が支持された太陽電池モジュールの左右の配設間隔を、継手カバーにて覆うように配設してなり、少なくとも太陽電池モジュールの水下側の端縁は略平坦状であることを特徴とする太陽電池モジュールの接続構造。
【請求項２】
横桟は、水下側へ突出する支持片を有し、該支持片上に太陽電池モジュールの水下側縁を載置していることを特徴とする請求項１に記載の太陽電池モジュールの接続構造。
【請求項３】
捨板は、略中央に隆状部を、その左右に水返し部を、それぞれ長さ方向に沿うように有することを特徴とする請求項１又は２に記載の太陽電池モジュールの接続構造。
【請求項４】
太陽電池モジュールの水下側は、水下側端部もしくは裏面に設けられる取付部材によって横桟に取り付けられていることを特徴とする請求項１〜３の何れか一項に記載の太陽電池モジュールの接続構造。
【請求項５】
流れ方向に配する捨板及び該捨板の裏面側に略直交状に配する横桟の表面側に、太陽電池モジュールを配して流れ方向及び左右方向に接続する太陽電池モジュールの接続方法であって、
前記横桟は、前記捨板の流れ方向の端縁を受支する受支部を上下段に有し、水上側及び水下側に下方へ延在する脚部、及び長さ方向に溝状の流水部を有し、配設以前に予め前記脚部を部分的に削除し、上段受支部、下段受支部、流水部が含まれる上方部分の端縁が流れ方向に配した排水部材に臨むように配設され、
流れ方向に略直交状に前記横桟を配設する第１の工程と、
配設した横桟の下段受支部に捨板の水上側の端縁を受支させると共に水下側に隣接する横桟の上段受支部に捨板の水下側の端縁を受支させる第２の工程と、
太陽電池モジュールの左右の端縁が捨板に支持されるように配設して少なくとも水下側の端縁を略平坦状とする第３の工程と、
左右に隣接する太陽電池モジュールの配設間隔に継手カバーを覆うように配設する第４の工程と、
を含むことを特徴とする太陽電池モジュールの接続方法。
【発明の詳細な説明】
【技術分野】
【０００１】
本発明は、太陽電池モジュール表面に土や埃等が堆積し難く、発電効率等の性能低下を招くこともなく、どのような寸法の太陽電池モジュールも極めて容易に取り付けることができ、通常の横葺き屋根板と組み合わせて施工することも可能な太陽電池モジュールの接続構造、及び接続方法に関する。
【背景技術】
【０００２】
太陽電池モジュールを屋根に設置するに際し、既設屋根の上に各種の持出金具を取り付けて太陽電池モジュールを設置する構造が各種提案されている。この構造では、雨仕舞い性を既設屋根に依存するため、太陽電池モジュールの敷設構造は簡易構造とできる利点がある（例えば特許文献１など）。
また、下地上に外装材を兼ねる太陽電池モジュールを敷設して屋根面を構築する構造も知られている（例えば特許文献２など）。
【先行技術文献】
【特許文献】
【０００３】
【特許文献１】特開２０１１−６１０６８号公報
【特許文献２】特開２００８−２８５８２７号公報
【発明の概要】
【発明が解決しようとする課題】
【０００４】
しかしながら、前記特許文献１では、四周の全てのフレーム、特に水下側のフレーム部がコ字状に形成されているために、モジュール上を流下する雨水がせき止められ、雨水に含まれる土や埃等が堆積し易いものであった。その結果、モジュール表面に汚れが付着し性能低下や、フレーム部の止水材が劣化し易くなっていた。
また、前記特許文献２では、横葺状に敷設するものであるが、複雑な固定部材３６やフレーム材が必要となるため、コスト上昇は避けられなかった。さらに、特殊なフレーム等を使用するため通常の屋根材との取り合いが面倒であった。また、前記特許文献１と同様にコ字状のフレームであるため、土や埃等が堆積し易いという問題もある。
【０００５】
そこで、本発明は、太陽電池モジュール表面に土や埃等が堆積し難く、発電効率等の性能低下を招くこともなく、どのような寸法の太陽電池モジュールも極めて容易に取り付けることができ、通常の横葺き屋根板と組み合わせて施工することも可能な太陽電池モジュールの接続構造、及び接続方法に関する。
【課題を解決するための手段】
【０００６】
本発明は、上記に鑑み提案されたもので、流れ方向に配する捨板及び該捨板の裏面側に略直交状に配する横桟の表面側に、太陽電池モジュールを配して流れ方向及び左右方向に接続する太陽電池モジュールの接続構造であって、前記横桟は、前記捨板の流れ方向の端縁を受支する受支部を上下段に有し、水上側及び水下側に下方へ延在する脚部、及び長さ方向に溝状の流水部を有し、配設以前に予め前記脚部を部分的に削除し、上段受支部、下段受支部、流水部が含まれる上方部分の端縁が流れ方向に配した排水部材に臨むように略直交状に配設され、前記捨板は、前記横桟の下段受支部に水上側の端縁が受支され、水下側に隣接する横桟の上段受支部に水下側の端縁が受支され、捨板上に左右の端縁が支持された太陽電池モジュールの左右の配設間隔を、継手カバーにて覆うように配設してなり、少なくとも太陽電池モジュールの水下側の端縁は略平坦状であることを特徴とする太陽電池モジュールの接続構造に関するものである。
【０００８】
また、本発明は、前記接続構造において、横桟は、水下側へ突出する支持片を有し、該支持片上に太陽電池モジュールの水下側縁を載置していることを特徴とする太陽電池モジュールの接続構造をも提案する。
【０００９】
また、本発明は、前記接続構造において、捨板は、略中央に隆状部を、その左右に水返し部を、それぞれ長さ方向に沿うように有することを特徴とする太陽電池モジュールの接続構造をも提案する。
【００１０】
また、本発明は、前記接続構造において、太陽電池モジュールの水下側は、水下側端部もしくは裏面に設けられる取付部材によって横桟に取り付けられていることを特徴とする太陽電池モジュールの接続構造をも提案する。
【００１１】
さらに、本発明は、流れ方向に配する捨板及び該捨板の裏面側に略直交状に配する横桟の表面側に、太陽電池モジュールを配して流れ方向及び左右方向に接続する太陽電池モジュールの接続方法であって、前記横桟は、前記捨板の流れ方向の端縁を受支する受支部を上下段に有し、水上側及び水下側に下方へ延在する脚部、及び長さ方向に溝状の流水部を有し、配設以前に予め前記脚部を部分的に削除し、上段受支部、下段受支部、流水部が含まれる上方部分の端縁が流れ方向に配した排水部材に臨むように配設され、流れ方向に略直交状に前記横桟を配設する第１の工程と、配設した横桟の下段受支部に捨板の水上側の端縁を受支させると共に水下側に隣接する横桟の上段受支部に捨板の水下側の端縁を受支させる第２の工程と、太陽電池モジュールの左右の端縁が捨板に支持されるように配設して少なくとも水下側の端縁を略平坦状とする第３の工程と、左右に隣接する太陽電池モジュールの配設間隔に継手カバーを覆うように配設する第４の工程と、を含むことを特徴とする太陽電池モジュールの接続方法をも提案する。
【発明の効果】
【００１２】
本発明の太陽電池モジュールの接続構造及び接続方法は、太陽電池モジュールの水上側及び左右の側端を捨板及び横桟、並びに継手カバーにて保持し、水下側の端縁は少なくとも略平坦状、即ち出っ張り等が存在しないので、敷設状態で下り傾斜状となり、モジュール上を流下する雨水がせき止められこともないし、雨水に含まれる土や埃等が堆積することもない。そのため、モジュール表面を美麗に維持することができ、発電効率等の性能低下を招くこともない。
また、太陽電池モジュールの水上側及び左右の端縁を、横桟及び捨板上に支持し、その表面側には継手カバーが配されているので、太陽電池モジュールの寸法にかかわらず極めて容易に取り付けることができ、太陽電池モジュールの水上側及び左右の端縁を挟着状に確実に取り付けることができる。
特に横桟が、配設以前に予め前記脚部を部分的に削除し、上段受支部、下段受支部、流水部が含まれる上方部分の端縁が流れ方向に配した排水部材上に臨むように略直交状に配設されているので、仮に雨水等が捨板の裏面側へ回り込むことがあったとしても、排水部材に導いて水下側へ流下させることができる。
【００１４】
また、横桟が、水下側へ突出する支持片を有し、該支持片上に太陽電池モジュールの水下側縁を載置している場合には、太陽電池モジュールの表面を伝う雨水等が、確実に水下側に隣接する太陽電池モジュール上に導かれて排水される。
【００１５】
また、捨板は、略中央に隆状部を、その左右に水返し部を、それぞれ長さ方向に沿うように有する場合には、左右に隣接する太陽電池モジュールの配設後に、その配設間隔を覆うように取り付ける継手カバーを固定する固定具を隆状部に打ち付けることができ、また継手カバーの裏面側に雨水等が浸入しても水返し部にて確実に水下側へ雨水等を流下させることができる。
【００１６】
また、太陽電池モジュールの水下側が、水下側端部もしくは裏面に設けられる取付部材によって横桟に取り付けられている場合には、太陽電池モジュールが水下側へズレ動いたり、或いはズレ落ちることがなく、安定に保持される。なお、この取付部材としては、フレームを兼ねるものでもよい。
【図面の簡単な説明】
【００１７】
【図１】（ａ）本発明の太陽電池モジュール（枠有りモジュール）の接続方法の一実施例（第１実施例）における第１の工程に先立って流れ方向に排水部材を配設した状態を示す斜視図、（ｂ）第１の工程にて横桟を配した状態を示す斜視図、（ｃ）第２の工程にて捨板を配した状態を示す斜視図、（ｄ）第３の工程にて太陽電池モジュールを配した状態を示す斜視図、（ｅ）第４の工程にて継手カバーを配設した状態を示す斜視図である。
【図２】（ａ）第１実施例にて構築された太陽電池モジュールの接続構造を示す側断面図、（ｂ）その流れ方向の接続部分を拡大して示す側断面図、（ｃ）その桁行き方向の接続部分を拡大して示す断面図である。
【図３】（ａ）第１実施例の太陽電池モジュールと併用し得る横葺き外装材の接続構造を示す側断面図、（ｂ）その流れ方向の接続部分を拡大して示す側断面図、（ｃ）第１実施例の太陽電池モジュールと横葺き外装材とを併用して屋根面を構築した流れ方向の接続構造を示す側断面図、（ｄ）Ｘ部を拡大して示す側断面図（ｅ）Ｙ部を拡大して示す側断面図である。
【図４】（ａ）第１実施例にて使用した太陽電池モジュールを示す平面図、（ｂ）左右の端縁の拡大図を付記した断面図、（ｃ）流れ方の端縁の拡大図を付記した側断面図である。
【図５】（ａ）取付部材を取り付けた太陽電池モジュールの流れ方向の接続構造の一例を示す側断面図、（ｂ）他の一例を示す側断面図、（ｃ）〜（ｇ）フレーム（枠）を一体的に固定した太陽電池モジュールの流れ方向の接続構造のバリエーションを示す側断面図である。
【発明を実施するための形態】
【００１８】
本発明の太陽電池モジュールの接続構造は、流れ方向に配する捨板及び該捨板の裏面側に略直交状に配する横桟の表面側に、太陽電池モジュールを配して流れ方向及び左右方向に接続するものであって、少なくとも太陽電池モジュールの水下側の端縁は略平坦状、即ち出っ張り等が存在しないため、雨水等を堰き止めることがなく、雨水に含まれる土や埃等が堆積することもなく、敷設状態で下り傾斜状となる。
【００１９】
前記本発明に用いる太陽電池モジュールは、太陽電池モジュールの周縁に所定形状のフレーム（枠）を一体的に固定した枠有りのモジュールであっても、その端縁（小口）に止水、防水処理を施された枠無しのモジュールであってもよい。
前者（枠有り）の場合、フレームは取付部材として機能するが、横桟への取付方法はビス止めであっても係止であってもよい。そして、この場合には、水下側のフレームの最上部が太陽電池モジュールの表面と略平坦状か下方（低い位置）に位置する。他のフレームは例えば略コ字状でもよい。
後者（枠無し）の場合、太陽電池モジュールの端部もしくは裏面に取付部材を一体化（接着、機械固定等）し、当該取付部材をビス止め、係止等によって横桟に取り付ければよい。また、モジュールの裏面構成によってモジュールと取付部材との一体化が行えない場合には、他の周縁にフレームを固定して、そのフレームと取付部材を一体化してもよい。また、その場合、他の周縁のフレームは全てに設けるものでも、取付部材が取り付け可能な辺（端縁）のみに設ける（例えば桁行き方向端部など）ものであってもよく、さらにその辺に対しも所定長さ（全長でも部分でもよい）であってもよい。そして、この場合にあっても、水下側の取付部材の最上部が太陽電池モジュールの表面と略平坦状か下方（低い位置）に位置する。
【００２０】
前記本発明に用いる捨板は、流れ方向に配して太陽電池モジュールの左右の側端を支持するものであって、それ以外の構成は特に限定するものではないが、後述する図示実施例のように長さ方向に同一断面を有する定尺材とすることが望ましい。この場合、使用する太陽電池モジュールの流れ方向の長さ寸法に応じて適宜に成形（切断）することができ、どのような寸法の太陽電池モジュールも極めて容易に対応することができる。
また、この捨板には、後述する図示実施例のように略中央に隆状部を、その左右に水返し部を、それぞれ長さ方向に沿うように有することが望ましい。この構成の捨板では、太陽電池モジュールを配設した後に、その配設間隔を覆うように継手カバーを取り付ける際に、固定具を打ち付ける箇所として隆状部を用いることができる。また、継手カバーの裏面側に雨水等が浸入しても、左右に形成された水返し部にて、確実に水下側へ雨水等を流下させることができる。
【００２１】
前記本発明に用いる横桟は、前記捨板の裏面側に略直交状に配して太陽電池モジュールの流れ方向の端縁、即ち桁行き方向に沿う端縁を支持するものであって、捨板の流れ方向の端縁を受支する受支部を上下段に有する構成である。それ以外の構成は特に限定するものではないが、後述する図示実施例のように長さ方向に同一断面を有する長尺材とすることが望ましい。この場合、使用する太陽電池モジュールの桁行き方向の長さ寸法に応じて適宜に成形（切断）することができ、どのような寸法の太陽電池モジュールも極めて容易に対応することができる。
また、この横桟には、前述の受支部の他に、後述する図示実施例のように水下側へ突出する支持片を有することが望ましい。この構成の横桟では、該支持片上に太陽電池モジュールの水下側縁を載置することができ、太陽電池モジュールの表面を伝う雨水等が、確実に水下側に隣接する太陽電池モジュール上に導かれて排水される。
【００２２】
そして、本発明では、前記横桟の下段受支部に、前記捨板の水上側の端縁を受支させると共に、水下側に隣接する横桟の上段受支部に捨板の水下側の端縁を受支させ、太陽電池モジュールを、その左右の側端が捨板に支持されるように配設し、太陽電池モジュールの左右の配設間隔を継手カバーにて覆うように配設した構成である。
【００２３】
前記本発明に用いる継手カバーは、捨板上に配設した左右の太陽電池モジュールの配設間隔を覆うものであって、後述する図示実施例のようにビス等により取り付けられ、平板状の水下側を下方へ折り曲げた形状が望ましい。この場合、継手カバーを水下側からスライドさせて左右の太陽電池モジュールの配設間隔に配設することができる。
なお、太陽電池モジュールの側縁は、ビス等により直接固定するものであってもよく、この継ぎ手カバーによって挟着されるものであってもよい。
【００２４】
これらの部材から構成される本発明の太陽電池モジュールの接続構造は、以下の第１〜第４の工程にて施工される。
【００２５】
まず、第１の工程では、流れ方向に略直交状に横桟を配設する。この横桟は、下地上に直接的に配設してもよいが、後述する図示実施例のように流れ方向に配した排水部材上に、その端縁が臨むように略直交状に配設してもよい。この場合、仮に雨水等が捨板の裏面側へ回り込むことがあったとしても、回り込もうとする雨水を排水部材の排水部に導いて水下側へ流下させることができる。
【００２６】
次に、第２の工程では、配設した横桟の下段受支部に捨板の水上側の端縁を受支させると共に水下側に隣接する横桟の上段受支部に捨板の水下側の端縁を受支させるように取り付ける。この横桟に、前述のように水下側へ突出する支持片が設けられている場合には、捨板を配設する際に、該支持片と下段受支部との間（空間）に捨板の水上側の端縁を挿入するように配設すればよく、少なくとも捨板の水上側の側縁が浮き上がって外れることはない。
【００２７】
続いて第３の工程では、取り付けた捨板の左右の側端に、太陽電池モジュールの長さ方向の端縁が支持されるように配設して少なくとも水下側の端縁を略平坦状とする。この捨板に、前述のように略中央に隆状部が、その左右に水返し部が、それぞれ長さ方向に沿うように設けられている場合には、左右に隣接する太陽電池モジュールの配設後に、その配設間隔を覆うように継手カバーを固定する際に、ビス等の固定具の固定箇所として隆状部に打ち付けることができる。また、継手カバーの裏面側に雨水等が浸入しても左右の水返し部にて確実に水下側へ雨水等を流下させることができる。
【００２８】
最後に第４の工程では、太陽電池モジュールの左右の配設間隔に継手カバーを覆うように配設する。この継手カバーが、前述のように平板状の水下側を下方へ折り曲げた形状である場合には、水下側からスライドさせることにより、容易に左右に太陽電池モジュールの配設間隔に配設することができる。また、前述のように横桟に水下側へ突出する支持片が設けられている場合には、この継手カバーの水上側の端縁は、支持片と捨板との間（空間）に挿入状に配設されるので、少なくとも継手カバーの水上側の側縁が浮き上がって外れることはない。
【００２９】
このように施工される本発明の太陽電池モジュールの接続構造は、太陽電池モジュールの水上側及び左右の側端を捨板及び横桟、並びに継手カバーにて保持し、水下側の端縁は少なくとも略平坦状、即ち出っ張りが存在しないため、敷設状態で下り傾斜状とし、モジュール上を流下する雨水がせき止められこともないし、雨水に含まれる土や埃等が堆積することもない。そのため、モジュール表面を美麗に維持することができ、性能低下を招くこともない。
【００３０】
また、本発明に用いる横桟及び捨板は、簡易な形状であるため、前述のようにそれぞれ長さ方向に同一断面を有する構成とすることができる。この場合、使用する太陽電池モジュールの流れ方向の長さ寸法に応じて横桟の長さを適宜に成形（切断）することができ、また使用する太陽電池モジュールの桁行き方向の長さ寸法に応じて捨板をの長さを適宜に成形（切断）することができ、どのような寸法の太陽電池モジュールも極めて容易に対応することができる。
【００３１】
さらに、本発明に用いる太陽電池モジュールと少なくとも流れ方向の長さ寸法が略等しい横葺き外装材を用いることにより、横葺き外装材を太陽電池モジュールと同様に組み合わせて屋根面を構築することができる。そのため、例えば軒先や棟頂部などにおいて、成熟した技術を適用し、美麗な施工景観を呈する屋根面とすることができる。
【実施例１】
【００３２】
図１及び図２に示す太陽電池モジュール１の接続構造の第１実施例は、流れ方向に配する捨板３及び該捨板３の裏面側に略直交状に配する横桟４の表面側に、太陽電池モジュール１を配して流れ方向及び左右方向に接続し、左右に隣り合う太陽電池モジュール１，１の左右の配設間隔を継手カバー５にて覆うように配設した構成である。
【００３３】
前記第１実施例に用いる太陽電池モジュール１は、図４に示すように裏面側に端子ボックス１０１及び端子ケーブル１０２を突出させた略矩形状の太陽電池１０と、この太陽電池１０の水上側及び左右の側縁をそれぞれ保持する略コ形状のフレーム１１ａ，１１ｂ，１１ｂと、太陽電池１０の水下側の端縁を載置する支持部１１１を備える取付部材としてのフレーム１１ｃとからなる構成である。
上記水下側の端縁に取り付けたフレーム１１ｃは、太陽電池モジュール１の水下側の端縁を載置する支持部１１１と、段状の化粧部１１２を有し、この化粧部１１２をビス１３にて横桟４に固定している。なお、化粧部１１２の上面は、略平坦状、即ち出っ張り等が存在しないので、敷設状態で下り傾斜状となり、太陽電池モジュール１上を流下する雨水がせき止められこともないし、雨水に含まれる土や埃等が堆積することもない。
【００３４】
前記捨板３は、流れ方向に配して前記太陽電池モジュール１，１の左右の側端を支持するものである。また、この第１実施例における捨板３は、略中央に隆状部３１を、その左右に複数条の水返し部３２を、それぞれ長さ方向に沿うように有する構成であり、長さ方向に同一断面を有する定尺材とした。
【００３５】
前記横桟４は、前記太陽電池モジュール１の流れ方向の端縁、即ち桁行き方向に沿う端縁を支持するものであって、前記捨板３の流れ方向の端縁を受支する受支部４１，４２を上下段に有する構成である。
上段受支部４１は、水上側を向く横片状であり、下段受支部４２は、水下側に設けられた上方が開放する溝内に弾性材が挿着された構成であり、前記捨板３の水上側の端縁を受支させた際に上方へ弾性反発する作用を果たす。
また、この第１実施例における横桟４は、水下側へ突出する支持片４３を有する構成であり、長さ方向に同一断面を有する長尺材とした。さらに、その水上側及び水下側に下方へ延在する脚部４４，４４、該脚部４４の下端に図示しない下地面に接地する接地部４５，４５、及び長さ方向に溝状の流水部４７，４８を上下段に有する構成とした。
なお、前記支持片４３の裏面側には、下方が開放する溝内に弾性材が装着された押さえ部４６が設けられ、前記捨板３の水上側の端縁を前記上段受支部４１に受支させた際に、更にその先端に接触して下方へ弾性反発する作用を果たす。
【００３６】
前記継手カバー５は、前記捨板３上に配設した左右の太陽電池モジュール１，１の配設間隔を覆うものである。また、この第１実施例における継手カバー５は、平板状の水下側を下方へ折り曲げた形状であり、ビス等の固定具５ｂを表面側から打ち込んで前記捨板３の隆状部３１の頂部に固定される。
【００３７】
以下、図１（ａ）〜（ｅ）に基づいてこの第１実施例の太陽電池モジュール１の接続構造の施工手順を説明する。
【００３８】
まず、図１（ａ）に示すように第１の工程に先立ち、流れ方向に沿うように排水部材２を配設した。この排水部材２は、略平坦状の底面２１の左右の側縁を傾斜状に立ち上げた側面２２，２２の上端を略水平状に内側へ折曲して受部２３，２３とした構成の連続材である。この排水部材２の底面２１は、排水部の底面であり、以下、排水部とする。
第１の工程では、図１（ｂ）に示すように前記排水部材２上に、前記横桟４の端縁が臨むように略直交状に配設する。なお、この横桟４は、配設以前に予めその脚部４４，４４を部分的に削除し、脚部４４，４４の上方部分が排水部材２の排水部２１に臨むように配設する。
【００３９】
次に、第２の工程では、図１（ｃ）に示すように前記第１の工程で取り付けた横桟４の下段受支部４２に捨板３の水上側の端縁を受支させると共に、水下側に隣接する横桟４の上段受支部４１に捨板３の水下側の端縁を受支させるように取り付ける。
この第１実施例の横桟４には、前述のように水下側へ突出する支持片４３が設けられているので、捨板３の水上側の端縁を、支持片４３と下段受支部４２との間（空間）に挿入状に取り付ければよく、また捨板３の水下側の端縁を、上段受支部４１の上面と支持片４３の上面に架け渡すように取り付ける。
【００４０】
続いて第３の工程では、図１（ｄ）に示すように前記第２の工程で取り付けた捨板３の左右の側端に、太陽電池モジュール１，１の長さ方向の端縁（フレーム１１ｂ，１１ｂ）が支持されるように配設して水下側の端縁を略平坦状とする。
前述のように横桟４の下段受支部４２は、上方へ弾性反発する作用を有し、前記押さえ部４６は、前述のように下方へ弾性反発する作用を有するので、捨板３の水上側の端縁の上面に位置する太陽電池モジュール１の水上側の端縁は、図２（ａ）及び（ｂ）に示すように上下から作用する弾性反発力で挟着状に取り付けられるものとなる。
【００４１】
最後に第４の工程では、図１（ｅ）に示すように前記第３の工程で取り付けた太陽電池モジュール１，１の左右の配設間隔に継手カバー５を覆うように配設する。この第１実施例では、捨板３に、前述のように略中央に隆状部３１が、その左右に水返し部３２が、それぞれ長さ方向に沿うように設けられているので、継手カバー５を配設してビス等の固定具５ｂを隆状部３１に打ち付けて固定することができる。
【００４２】
このような手順にて施工される本発明の太陽電池モジュール１の接続構造は、太陽電池モジュール１の水下側の端縁が略平坦状、即ち出っ張りが存在しないので、敷設状態で下り傾斜状に配設した際に、モジュール１上を流下する雨水がせき止められこともないし、雨水に含まれる土や埃等が堆積することもない。そのため、モジュール１表面を美麗に維持することができ、発電効率等の性能低下を招くこともない。
また、水上側のフレーム１１ａが横桟４上に支持され、左右の側縁のフレーム１１ｂが捨板３上に支持され、その表面側には継手カバー５が配されているので、取り付けが容易であり、確実に太陽電池モジュール１を取り付けることができ、太陽電池モジュール１の表面を伝う雨水等は、左右の側端から捨板３を介して、或いは水下側の端縁（１１ｃ）から、水下側に隣接する太陽電池モジュール１上に導いて排水することができる。
【００４３】
また、この第１実施例では、第１の工程に先立って流れ方向に排水部材２を取り付け、その後に横桟４の端縁が臨むように略直交状に配設したので、仮に雨水等が捨板３の裏面側へ回り込むことがあったとしても、排水部材２の排水部２１に導いて水下側へ流下させることができる。
さらに、前記横桟４及び前記捨板３は、前述のようにそれぞれ長さ方向に同一断面を有する構成としたので、使用する太陽電池モジュール１の流れ方向の長さ寸法に応じて横桟４の長さを適宜に成形（切断）することができ、使用する太陽電池モジュールの桁行き方向の長さ寸法に応じて捨板３を長さを適宜に成形（切断）することができ、どのような寸法の太陽電池モジュールも極めて容易に対応することができる。
しかも、図示実施例の横桟４には、上下段に溝状の流水部４７，４８を設けたので、図１（ｂ）に示すように仮に太陽電池モジュール１の裏面側に雨水が回り込むことがあったとしても横桟４の流水部４７，４８から排水部材２の排水部２１へ導いて水下側へ流下させることができる。
【００４４】
また、この第１実施例では、横桟４が、水下側へ突出する支持片４３を有し、この支持片４３上に太陽電池モジュール１の水下側縁（１１ｃ）を載置しているので、太陽電池モジュール１の表面を伝う雨水等が、確実に水下側に隣接する太陽電池モジュール１上に導かれて排水される。
【００４５】
さらに、前記第２の工程にて捨板３を取り付ける作業において、その水上側の端縁を、支持片４３と下段受支部４２との間（空間）に挿入状に取り付ければよく、また水下側の端縁を、上段受支部４１の上面と支持片４３の上面に架け渡すように取り付ければよいので、施工性にも優れており、更には少なくとも捨板３の水上側の側縁の浮き上がりが、支持片４３にて防止される。
しかも、前述のように下段受支部４２は上方へ、押さえ部４６は下方へ、それぞれ弾性反発する作用を有するので、捨板３の水上側の端縁の上面に位置する太陽電池モジュール１の水上側の端縁には、上下から作用する弾性反発力で挟着状に取り付けられるものとなる。
【００４６】
また、この第１実施例では、捨板３の略中央に隆状部３１を、その左右に水返し部３２を、それぞれ長さ方向に沿うように設けたので、前記第４の工程にて継手カバー５を固定する固定具５ｂを隆状部３１に打ち付けることができ、また継手カバー５の裏面側に雨水等が浸入しても水返し部３２にて確実に水下側へ雨水等を流下させることができる。
【００４７】
さらに、このような本発明の太陽電池モジュール１の接続構造は、図３に示すように少なくとも流れ方向の長さ寸法が前記太陽電池モジュール１と略等しい横葺き外装材６を用いることにより、横葺き外装材６を太陽電池モジュール１と同様に組み合わせて屋根面を構築することができる。
即ちこの第１実施例の接続構造における太陽電池モジュール１の水上側の端縁（フレーム１１ａ）は、前述の横桟４（上端受支部４１及び押さえ部４６）により挟着状に取り付けられ、左右の側縁（フレーム１１ｂ）及び水下側の端縁（フレーム１１ｃ）は、捨板３と継手カバー５とにより、表裏面にて挟着状に取り付けられるので、この第１実施例に用いた捨板３、横桟４、及び継手カバー５を用いて同様に取り付けることにより、少なくとも太陽電池モジュール１に関しては前述と同様に取り付けることができる。
なお、この図３（ａ），（ｂ）には、前記第１実施例における太陽電池モジュール１と併用し得る横葺き外装材６の接続構造を示し、図３（ｃ）〜（ｅ）には前記太陽電池モジュール１と前記横葺き外装材６との接続構造を示した。
【００４８】
前記横葺き外装材６は、略平坦状の面板部６１の水下側の端縁に軒側成形部６２を、水上側の端縁に棟側成形部６３を形成した構成であり、これらの軒側成形部６２と棟側成形部６３とは、敷設状態において相互に係合する構成とした。
軒側成形部６２は、面板部６１の軒縁を下方へ略鉛直状に曲げ、その下端を棟側へ曲げ成形し、続いて上方へ略く字状に屈曲し、さらにその先端を裏面面側へ折り返した構成とした。
棟側成形部６３は、面板部６１から延在する端縁を表面側へ折り返し状に曲げ成形し、その軒端を下方へ折り曲げた構成とした。
なお、この横葺き外装材６の金属材料素材としては、代表的には概ね０.４〜１.６mm程度の溶融亜鉛メッキ鋼板やガルバリウム鋼板等の防錆処理鋼板、特殊鋼、非鉄金属、ステンレス鋼板、耐候性鋼板、銅板、アルミニウム合金板、鉛板、亜鉛板、チタニウム板などが挙げられるが、特にこれらに限定されるものではない。これらは殆ど長尺なコイル状形態で供給される。
【００４９】
また、前記横葺き外装材６の裏面側には、結露防止、防音、防火対策上の理由により、ポリエチレンフォーム、グラスウールシート等のバックアップ材７が添装されている。
さらに、前記横葺き外装材６，６の流れ方向の接続には、図示しない下地面に固定した吊子８を用いて接続している。なお、この吊子８は、横葺き外装材６，６同士の接続部分にのみ用いられる部材であって、前記係合部分（６２，６３）を包持状に保持する保持部８１と、下地面への固定部８２と、前記バックアップ材７を係止する係止部８３と、を備え、前記太陽電池モジュール１とこの横葺き外装材６との接続部分には、図３（ｃ）〜（ｅ）に示すように何れが水上側になろうとも前記構成の横桟４を用いている。
【００５０】
そして、この図３（ｃ）〜（ｅ）に示す前記太陽電池モジュール１と前記横葺き外装材６との接続は、前述のように太陽電池モジュール１の取り付けに関しては、前記第１実施例に用いた捨板３、横桟４、及び継手カバー５を用いているため、全く同様に取り付けられるものとなる。したがって、この場合には、前記横葺き外装材６が、この横葺き外装材６のみでは前述の相互に係合して取り付けられる構成に代わって前記横桟４を代用吊子として取り付けられるようにすればよい。
図３（ｄ）に示すように横葺き外装材６の棟側成形部６３は、横桟４の支持片４３や押さえ部４６、または継手カバー５にて表面側から押さえ保持することができる。
図３（ｅ）に示すように横葺き外装材６の軒側成形部６２は、横桟４の支持片４３や押さえ部４６にて係止状に取り付けることができる。
【００５１】
図５（ａ）〜（ｇ）に示す流れ方向の接続部分、すなわち取付部材と横桟のバリエーションを示し、太陽電池モジュール１IIに取付部材を取り付ける仕様、或いは前記第１実施例と同様に太陽電池モジュール１III〜１Ｖの水下側のフレームを取付部材とした仕様を示した。
【００５２】
図５（ａ）は、太陽電池モジュール１IIの水下側裏面に、取付部材９ｃを設けて太陽電池モジュール１IIの水下側の端縁を取り付ける仕様である。この取付部材９ｃは、下地２０に固定された横桟４Ｂに係止する係止部９１を備え、略平坦状の支持部分９２に太陽電池モジュール１IIの裏面を支持するものであり、支持部分９２には適宜接着剤や両面テープ等を用いて太陽電池モジュール１IIの裏面を接着してもよいし、或いは図示しない左右の取付部材と組み付けてもよい。なお、この太陽電池モジュール１IIの水上側には、略コ字状の保持部分９３を設けた取付部材９ａを取り付けてその端縁を保持しており、更に前記水下側の取付部材９ｃの支持部分９２の裏面を、溝部に保持した弾性材を介して受け止める受部９４も設けられている。
【００５３】
また、図５（ｂ）の仕様では、水下側の端縁に突片状の位置決め部９５を有する取付部材９ｄを取り付けた。この位置決め部９５は、前記第１実施例における段状の化粧部（１１２）と同様に太陽電池モジュール１IIの配設に際して容易に配置させることができ、しかも水下側へのズレ落ちを防止する役割も果たす。なお、この位置決め部９５の上端は、図示するように太陽電池モジュールの表面と略平坦状もしくは下方に位置するので、他の実施例と同様に雨水に含まれる土や埃等を堆積させることなく流下させることができる。
なお、図５（ａ），（ｂ）における取付部材９ｃ，９ｄは、太陽電池モジュール１IIの裏面又は端縁に配した仕様としたが、これらの部材９ｃ，９ｄは、前記第１実施例と同様に水下側フレームとして用いることもできる。
【００５４】
図５（ｃ）〜（ｅ）は、前記第１実施例と同様に水下側のフレームを取付部材とした太陽電池モジュール１III〜１Ｖを示し、水上側のフレーム１１ａに代えてフレーム１２ａを、水下側のフレーム１１ｃに代えてフレーム１２ｃ，１２ｄ，１２ｅを一体化した仕様であり、形状が僅かに異なる横桟４Ｃに対し、ビス止めや係止等によって取り付けた。なお、これらの図５（ｃ）〜（ｅ）における１２ａ，１２ｃ，１２ｄ，１２ｅをフレームと説明したが、これらの部材は、前記図５（ａ）、（ｂ）と同様に太陽電池モジュール１III〜１Ｖの裏面や端縁に単体で取り付けるものであってもよい。
このうち、水下側の部材１２ｃは、フレームであっても取付部材であっても最上部である段状の化粧部１２２の上面が太陽電池モジュール１IIIの表面と略平坦状である。
また、水下側の部材１２ｄには、前記第１実施例における段状の化粧部（１１２）に代えて突片状の起立片部１２３を設けているが、取付部材である場合には、前記図５（ｂ）と同様の作用（位置決め機能、ズレ留め機能）が果たされる。そして、隆状段部を設けていないので、ビス１３の固定位置も低く、また前記起立片部１２３の上端も、太陽電池モジュール１IVの水下側の端縁より明らかに低い。
さらに、水下側の部材１２ｅには、起立片部１２３が設けられない以外は前記部材１２ｄと全く同様であるから、当然のことながら、太陽電池モジュール１Ｖの水下側の端縁より明らかに低い。
なお、これら図５（ｃ）〜（ｅ）では、それぞれビス１３にて横桟４Ｃに固定したが、太陽電池モジュール１III〜１Ｖの裏面が一体化可能な材質等からなる場合は、接着等によるものでもよい。
【００５５】
図５（ｆ）も、前記第１実施例と同様に水下側のフレームを取付部材とした太陽電池モジュール１VIに、水下側のフレーム１１ｃに代えてフレーム１２ｆを一体化したが、この部材は、前記図５（ａ）、（ｂ）と同様に太陽電池モジュール１VIの裏面や端縁に単体で取り付けるものであってもよい。この部材１２ｆは、第１実施例のフレーム１１ｃと同様に中空状の枠体であるが、その段状の化粧部１２２が第１実施例のフレーム１１ｃより低く、そのため横桟４Ｄへのビス１３の打ち込み部分も低くなり、その上端は図示されるように太陽電池モジュール１VIの表面より明らかに低い位置となった。
図５（ｇ）は、前記第１実施例と同様に水下側のフレームを取付部材とした太陽電池モジュール１VIIに、水下側のフレーム１１ｃに代えてフレーム１２ｇを一体化したが、この部材は、前記図５（ａ）、（ｂ）と同様に太陽電池モジュール１VIIの裏面や端縁に単体で取り付けるものであってもよい。この部材１２ｇは、直接的に横桟４Ｅに固定するものではなく、横桟４Ｅに嵌合状に取り付けた補助材１４に対してビス１３を打ち込んで固定した。
なお、これらの仕様における水上側の部材１２ａ'，１２ａ"は、略コ字状の保持部を有する点では前記図５（ｃ）〜（ｅ）における部材１２ａと同様である。
【００５６】
このように、使用する太陽電池モジュールが枠無しモジュールであっても、或いは枠有りモジュールであっても、適宜に取付部材やフレームなどを選定して用いることにより、水下側の端縁を略平坦状、即ち出っ張り等が存在しないようにすることができ、その結果、雨水に含まれる土や埃等を堆積させることなく流下させることができ、太陽電池モジュールの表面を美麗に維持することができ、発電効率等の性能低下を招くこともない，という効果を果たすことができる。
【符号の説明】
【００５７】
１，１II〜１VII  太陽電池モジュール
１０  太陽電池
１０１  端子ボックス
１０２  端子ケーブル
１１ａ〜１１ｃ  フレーム
１２ａ〜１１ｇ  フレーム（取付部材）
１２１  支持部分
１２２  化粧部
１２３  位置決め部
１３  ビス
１４  補助材
２  排水部材
２１  排水部（底面）
２０  下地
３  捨板
３１  隆起部
３２  水返し部
４〜４Ｅ  横桟
４１  上段受支部
４２  下段受支部
４３  支持片
４４  脚部
４５  接地部
４６  押さえ部
５  継手カバー
６  横葺き外装材
６１  面板部
６２  軒側成形部
６３  棟側成形部
７  バックアップ材
８  吊子
９ａ，９ｃ，９ｄ  取付部材
９１  取付部
９２  支持部分
９３  保持部
【図１】
0005795909.tif 000002
【図２】
0005795909.tif 000003
【図３】
0005795909.tif 000004
【図４】
0005795909.tif 000005
【図５】
0005795909.tif 000006